(57)【要約】【課題】  パチンコなどの遊技機の基板を電磁波から保護することができ、不正行為の発見にも役立つ、遊技機用の電磁波シールド方法を提供すること。【解決手段】  パチンコなどの遊技機の動作を制御する遊技制御回路基板を収納した基板ケース及び基板ケースから延出する配線部を、金属コーティングを施してなるメッシュ状の繊維シートにより被覆するようにして電磁波をシールドする。【選択図】  図２
2005152096.tif 000002
【特許請求の範囲】
【請求項１】
遊技機の動作を制御する遊技制御回路基板を収納した基板ケース及び基板ケースから延出する配線部を、金属コーティングを施してなるメッシュ状の繊維シートにより被覆したことを特徴とする遊技機の電磁波シールド方法。
【請求項２】
前記金属コーティングが、銅及び／又はニッケルである請求項１に記載の遊技機の電磁波シールド方法。
【請求項３】
前記繊維シートがポリエチレンテレフタレートから形成されている請求項１に記載の遊技機の電磁波シールド方法。
【請求項４】
前記金属コーティングを施してなるメッシュ状の繊維シートを予め袋状に形成してある請求項１に記載の遊技機の電磁波シールド方法。
【請求項５】
前記袋状に形成されたメッシュ状の繊維シートの開口部を閉塞するための接合部が設けられている請求項４に記載の遊技機の電磁波シールド方法。
【請求項６】
前記接合部がマジックテープから構成される請求項５に記載の遊技機の電磁波シールド方法。
【発明の詳細な説明】
【技術分野】
【０００１】
本発明は、パチンコ遊技機用の電磁波シールド方法に関し、特に遊技機の動作を制御する遊技制御回路基板ケース及びこれに接続する配線部の電磁波シールドに関する。
【背景技術】
【０００２】
近年のパチンコ遊技機においては、遊技盤上の所定の入賞孔に遊技球が入った時に、これを検出して演算処理を行い、当たりを判定した場合には可変入賞ゲートを所定時間開放させるなどの処理を行っている。このため、パチンコ遊技機にはＭＰＵ、ＲＯＭ、ＲＡＭ等のＩＣ素子が多数実装されている基板が設けられている。これらの基板は、一般に基板ケースとよばれる容器に収容されてパチンコ遊技機の裏面に装着されているが、不正なＲＯＭ交換等を防止する目的で容器の一部を透明な樹脂で構成し、目視による基板点検が行えるようになっている。しかしながら、透明樹脂で形成した基板ケースは電磁波シールド性が低く、ＩＣ素子が電磁波の影響を受けやすくなるという問題があった。
【０００３】
このような問題を解決する目的で、遊技制御回路基板を金属メッシュで被覆した電磁波シールド方法が実開平６−７４１８２号公報に記載されている。また、特開平１１−３０９２６３号公報には、電磁波シールド材料として金属をコーティングしたメッシュ状繊維を用いて透明基板ケースを被覆することが記載されている。
【０００４】
【特許文献１】実開平６−７４１８２号公報
【特許文献２】特開平１１−３０９２６３号公報
【特許文献３】特開平１０−９９５０９号公報
【特許文献４】特開平５−３２７２７４号公報
【発明の開示】
【発明が解決しようとする課題】
【０００５】
実開平６−７４１８２号公報に記載される金属メッシュは、ＭＰＵ、ＲＯＭ、ＲＡＭ等のＩＣ素子を搭載した基板の保護のため、高剛性のものを使用する必要がある。そのため、この金属メッシュの変形加工は困難であり機種変更などに対応し難いという問題があった。この点を改良するため、特開平１１−３０９２６３号公報では透明ケースの剛性によりＩＣ素子の保護を行うと共に、金属をコーティングしたメッシュ状繊維で前記透明基板ケースを被覆することで電磁波シールドを行うようにしている。
【０００６】
しかしながら、ＩＣ素子等を搭載した遊技制御回路基板や保護ケースを電磁波からシールドするだけでは、電磁波によるパチンコ遊技機の誤作動を完全に防ぐことはできない。なぜなら、このような回路基板や保護ケースには、他の基板や表示装置とを電気的に接続するための配線が設けられており、この配線がアンテナの役目を果たすなどして電磁波の影響を受けやすくなるためで、このため完全に誤作動を防ぐことはできないのである。
【０００７】
また、近年では故意に電磁波を照射して誤動作を起こさせる不正行為が多くなってきていて、これを防ぐため各ホールでは電磁波を検知するシステムを導入しているところも多く、これらの設備導入には多大な費用がかかるため大きな負担となっていた。本発明はこのような問題点を解決するものであり、パチンコ遊技機の基板を電磁波から保護することができ、不正行為の発見にも役に立つ、遊技機用の電磁波シールド方法を提供することを目的とする。
【課題を解決するための手段】
【０００８】
前述の問題点を解決するため、本発明では遊技機の動作を制御する遊技制御回路基板を収納した基板ケース及び基板ケースから延出する配線部を、金属コーティングを施してなるメッシュ状の繊維シートにより被覆するようにした。
【０００９】
以下本発明の各構成要素を説明する。本発明における遊技機の動作を制御する遊技制御回路基板とは、遊技盤上の所定の入賞孔に遊技球が入った時に、これを検出して演算処理を行い、当たりの判定を行うＭＰＵ、ＲＯＭ、ＲＡＭ等のＩＣ素子が多数実装されている基板であり、また、基板ケースとは前記遊技制御回路基板をその内部に収納して外部衝撃から保護する役目を担っている。また、この基板ケースは内部を透視することができるように透明な剛性プラスチックで形成されている。
【００１０】
基板ケース及び基板ケースから延出する配線部とは、遊技制御回路基板と他の基板、例えば電源装置、表示装置などの基板とを電気的に接続する配線のことである。この配線部には、前記遊技制御回路基板を遊技機から取り外すことを考慮して任意個所にコネクタが設けられており、また、配線の長さも故障時の修理や部品の交換を想定して全長７０ｃｍ〜１ｍと比較的長く設定されている。そのため、これらは配線が電磁波をキャッチするアンテナの役目を果たしてしまう場合も多い。
【００１１】
本発明における金属コーティングを施してなるメッシュ状の繊維シートとは、例えばポリエチレン樹脂、ポリエステル樹脂、ポリウレタン樹脂、ポリアクリル樹脂、ポリエチレンテレフタレート樹脂、ポリアセテート樹脂、ポリアセタール樹脂などの合成樹脂製繊維をメッシュ状に形成したシートの表面に、鉄、コバルト、ニッケル、クロム、金、銀、銅、アルミニウム、チタン、テルル、白金、亜鉛、錫、鉛などの導電性金属を蒸着法、スパッタリング法、電析法などの方法を用いて形成したものである。なお、用いられる導電性金属は照射される電磁波を反射する性質を有するものであることが好ましい。具体的にはニッケルや銅、またはこれらの積層体や合意金が好ましく用いられる。
【００１２】
ここでいうメッシュとは、織布又は不織布のシート状態において、縦横に配列された開口孔が設けられた全体としてメッシュ状をしているものであればよい。また、メッシュの密度については全光線透過率が好ましくは４５％以上、更に好ましくは６０％以上であることが望ましい。この程度の光透過率を有していれば内包物を容易に視認できるとともに、シートとして柔軟性があるので電磁波シールドを必要とする部材の形状に合わせて自在に折り曲げて設置できる。尚、このメッシュ状の繊維シートは、少なくとも一方の面を柔軟性素材（ゴム、エラストマー、不織布等）や樹脂（塩ビ、アクリル等）で補強しておくと耐久性が向上する。
【００１３】
さらに、このメッシュ状の繊維シートは電磁波シールドを必要とする部材（遊技制御回路基板ケース）の形状に合わせて予め袋状に成形してもよい。このように形成された袋状の繊維シートは、遊技機の遊技制御回路基板ケースを内部に収納するようにして使用されるが、この作業を効率良く行うため、シートの端部にマジックテープを設けて端部と端部を重ね合わせるようにして係合しても良い。なお、前記遊技制御回路基板ケースから延出した配線部もまた、前述の電磁波シールド性のメッシュ状繊維シートにより被覆する。
【発明の効果】
【００１４】
本発明では、金属コーティングを施してなるメッシュ状の繊維シートにより、遊技機の動作を制御する遊技制御回路基板を収納した基板ケースだけでなく、基板ケースから延出する配線部をも覆うことにより確実な電磁波シールドを行うことができる。また、金属コーティングを施してなるメッシュ状の繊維シートとして電磁波を反射するタイプのものを使用することにより、不正目的で遊技機に対して故意に電磁波が照射された場合でも、電磁波の多方面に乱反射するので電磁波監視装置による検知が容易となり、不正行為を発見し易くなる。
【発明を実施するための最良の形態】
【００１５】
以下、図１〜図５を用いて本発明の実施の形態を説明する。
【実施例１】
【００１６】
先ず市販のパチンコ遊技機１を用意した。この遊技機１の裏面には図１に示すような遊技制御回路基板を収納した直方体状の透明基板ケース２が着脱可能に設けられている。また、基板ケース２からは、他の回路基板と電気的に接続するための配線部３が複数設けられている。
【００１７】
つぎに、ポリエチレンテレフタレート樹脂繊維をメッシュ状に編み込んだメッシュ状シートの表面に銅及び／又はニッケルの導電性金属層を形成した電磁波シールドシート３種類（商品名  Ｓｕ−４Ｘ−１３２３０（銅系），商品名  Ｓｕ−４Ｘ−１３５４０（銅系），商品名  Ｓｕｉ−１０−１６８Ｌ（銅−Ｎｉ系）  何れもセーレン株式会社製）を用意し、それぞれを前記直方体状の透明基板ケース２が収納できる程度の大きさに裁断して縫製し、図３に示すような収納袋５を形成する。また、この収納袋５の開口部６には、この開口部６を閉塞するための切り欠き部７を有する帯状の閉塞片８が設けられている。そして、この帯状の閉塞片８と収納袋本体との接合面にはマジックテープａ、ｂが縫製されていて、両者を貼合わせることで収納物を露出しないように封止されている。
【００１８】
一方、基板ケース２から延出した配線部３の長さに合わせて前述の電磁波シールドシートを長尺状に裁断して収納帯１１を作成する。この収納帯１１には、配線部３を包み込んで係止できるよう図４に示されるごとくマジックテープａ（表面）、ｂ（裏面）が設けられている。  
【００１９】
つぎに、本発明におれる電磁波シールドの工程について説明する。パチンコ遊技機１の裏面に取り付けられている遊技制御回路基板を収納した透明基板ケース２をパチンコ遊技機１から取り外し、前述した収納袋５に基板ケース２を収納する。ついで、帯状の閉塞片８と収納袋本体とをマジックテープａ、ｂにより閉塞する。この時、基板ケース２から延出する配線部３は、前記閉塞片８に設けられた切り欠き部７を通って外側に延出させるようになっている。
【００２０】
この切り欠き部を通って外側に延びた配線部３には、別に成形した長尺状の収納帯１１で配線部３を覆うようにして巻き付け、マジックテープａ、ｂにて係止し直接配線部３を露出させないようにする。すなわち、図２に示すように遊技制御回路基板を収納した透明基板ケース２と、このケースから延出する配線部３の全てを、前述した金属コーティングを施してなるメッシュ状の繊維シートから形成した収納袋５及び収納帯１１により被覆する。
【００２１】
つぎに、本発明における電磁波シールドの効果について説明する。パチンコ遊技機１に電磁波感知センサをパチンコ遊技機上方部の任意個所Ａ（パチンコ遊技機最上端から３０ｃｍ程度離れた位置）、基板ケース２の内部Ｂ、配線部３の任意個所の内部Ｃ、前記Ａ〜Ｃの３個所それぞれに設置し、これを前述の方法にて電磁波シールドし、電磁波シールドを施した個所の違えた３種類のパチンコ遊技機を作成した。すなわち、基板ケース２及び配線部３全てを電磁波シールドしたものを遊技機Ｘとし、基板ケース２のみを電磁波シールドしたものを遊技機Ｙとし、何れの個所にも電磁波シールドを施さなかったものを遊技機Ｚとした。これらの遊技機Ｘ〜Ｚそれぞれに、電磁波発生装置により２．５ＧＨｚ（ギガヘルツ）×５Ｗ、及び１．５ＧＨｚ×５０ｍＷの２種類の直進性の高い電磁波を、基板ケース２の設置面に対して鉛直方向（水平方向）距離３０ｃｍの位置から照射した。この時、電磁波を感知した各遊技機に設置されたセンサの位置をＡ〜Ｃで表１に示す。
【００２２】
【表１】
2005152096.tif 000003
【００２３】
なお、電磁波照射方向と各センサの方向及び距離は表２のとおりである。
【００２４】
【表２】
2005152096.tif 000004
【００２５】
以上の結果から、電磁波シールドを施していない遊技機Ｚでは、２種類の電磁波ともセンサ位置Ａでは感知できなかった。これは、照射した電磁波の直進性が高く、また、これらの電磁波を反射するものも無かったことが分かる。一方、センサ位置Ｃ程度の角度では直接センサに電磁波が到達してしまうため、Ｙ遊技機では同位置に容易感知される。
【００２６】
また、一部にでも電磁波シールドを施している遊技機ＸとＹでは、照射電磁波を乱反射するので遊技機Ｚでは感知されたなったセンサ位置Ａでも感知が可能になった。さらに、電磁波シールドを施すための金属コーティングを施してなるメッシュ状の繊維シートは、銅及びニッケルの複数の金属によりコーティングされたものが好ましい。
【００２７】
本発明は前述した実施例に限定されるものではない。例えば、パチンコ遊技機の裏面全体（図５参照）を本発明の電磁波シールドシートで覆ってもよいし、設置される電子機器を予めこの電磁波シールドシートで置くことも有効である。
【図面の簡単な説明】
【００２８】
【図１】パチンコ遊技機の裏面概略平面図である。
【図２】本発明の実施態様を示すパチンコ遊技機の裏面概略平面図である。
【図３】本発明の１つの実施態様（袋状）を示す概略図である。
【図４】本発明の１つの実施態様（帯状）を示す概略図である。
【図５】本発明の実施態様を示すパチンコ遊技機の裏面概略平面図である。
【符号の説明】
【００２９】
１  パチンコ遊技機の裏面  
２  ケース  
３  配線部  
５  収納袋
１１  収納帯
ａ，ｂ  マジックテープ
【図１】
2005152096.tif 000005
【図２】
2005152096.tif 000006
【図３】
2005152096.tif 000007
【図４】
2005152096.tif 000008
【図５】
2005152096.tif 000009